(57)【特許請求の範囲】
【請求項１】
浚渫土等の軟泥土がプラグ流として圧送される空気圧送管の途中に該圧送管よりも太径の混合管を傾斜させて接続し、該混合管内の軸心部には固化材噴出口が複数開孔されると共に外周に所定の間隔を置いて複数枚の翼が斜めに取り付け固定されてなる管状の固化材供給軸が挿入固定され、上記混合管内に送入された軟泥土を該混合管の傾斜と管径の拡大効果により生じる乱流の発生と上記翼の撹拌作用による相乗効果で固化材と均質に撹拌混合することを特徴とする軟泥土の管中混合固化処理法。
【請求項２】
浚渫土等の軟泥土を圧送する空気圧送管の途中に該圧送管よりも太径の混合管を傾斜させて接続し、該混合管内の軸心部には固化材噴出口が複数開孔されると共に外周に所定の間隔を置いて複数枚の翼が斜めに取り付け固定されてなる管状の固化材供給軸が挿入固定されていることを特徴とする軟泥土の管中混合固化処理装置。
【発明の詳細な説明】
【０００１】
【発明の属する技術分野】
本発明は、浚渫土等の含水率の高い軟泥土を圧送する過程で管体内で効果的に固化材と撹拌混合することができ、混練ミキサー等の格別の機械的混合処理設備を不要とした軟泥土の管中混合固化処理法と装置に関するものである。
【０００２】
【従来の技術】
従来から、浚渫土を資源として有効利用するため、これに固化材を添加し、例えば埋立地等の地盤材料として利用することが行なわれている。従来の浚渫土を固化処理する方法としては、浚渫土と固化材とを均等に混練するために大型の機械式の混練ミキサーを使用する方法や、軟泥土がプラグ流として圧送される空気圧送管内に固化材を添加して撹拌混合する管中混合方法が知られている。しかしながら、前者は専用船又は専用プラントを用いた処理が一般的で、設備が大型化して処理コストも高いものとなり、また後者は処理コストは低くなるものの混合後の軟泥土の均質性にムラがあり、品質のばらつきが大きいという問題があった。
【０００３】
【発明が解決しようとする課題】
本発明は、この浚渫土等の軟泥土を陸上へ向けて空気圧送する場合に、圧送管内では軟泥土と空気とが交互に流送される現象である「プラグ流」が生じることに着目し、圧送管の途中に該圧送管よりも太径の管状の混合部を接続して、混練ミキサー等の特別の固化処理設備を不要とし、該管状混合部で軟泥土と固化材とを極めて簡単な方法で均質に撹拌混合できるようにした経済的な軟泥土の固化処理方法と装置を提案するものである。
【０００４】
【課題を解決するための手段】
即ち、本発明は浚渫土等の軟泥土がプラグ流として圧送される空気圧送管の途中に該圧送管よりも太径の混合管を傾斜させて接続し、該混合管内の軸心部には固化材噴出口が複数開孔されると共に外周に所定の間隔を置いて複数枚の翼が斜めに取り付けられてなる管状の固化材供給軸が挿入され、上記混合管内に送入された軟泥土を該混合管の傾斜と管径の拡大効果により生じる乱流の発生と上記翼の撹拌作用による相乗効果で固化材と均質に撹拌混合することを特徴とする軟泥土の管中混合固化処理法と装置に関するものである。以下、本発明法の実施形態を図により説明する。
【０００５】
【発明の実施の形態】
図１は浚渫船が浚渫した軟泥土を陸上の埋立地に送るまでの概略を示す説明図で、１は浚渫船、２は土運搬船、３は空気圧送船で、この空気圧送船３により浚渫土を圧送管４を介して陸上に空気圧送する。５はセメントスラリー等の固化材供給設備で、この設備５において本発明による管状の混合装置Ａが圧送管４に接続され、軟泥土に固化材が撹拌混合され、再び圧送管４に給送されて埋立地６に排出される。
【０００６】
図２は本発明に係る上記した管状の混合装置Ａの一部断面側面図、図３はこの管状の混合装置Ａの説明的な縦断面図であり、７は両端が閉鎖された混合管で、該混合管７は上記圧送管４よりも径が太くかつ傾斜して設置されており、上部側面には空気圧送船３からの圧送管４ａが接続されて該混合管７内に浚渫土が供給され、下部側面に埋立地６へ向う圧送管ｂが接続されている。
【０００７】
８は上記混合管７内軸心部に上方から挿入固定された管状の固化材供給軸で、該供給軸８外周にはその長さ方向に所定の間隔を置いて複数枚（図では３枚）の翼９が放射状にかつ該軸８に対して斜めに向けて固定されており、また該軸８には等間隔に複数の固化材噴出口１０が開設されていて、該噴出口からセメントスラリー等の固化材が高圧噴射されるようになっている。
【０００８】
しかして、空気圧送船３により浚渫土を圧縮空気と共に圧送管４ａ内に圧入すると、前記したように浚渫土は圧送管４ａ内でプラグ流となって間欠的に給送され、混合管７内に送入される。
【０００９】
混合管７は前記の通り圧送管４ａより管径が拡大されているので、プラグ流の抵抗が減少し、しかも斜めに傾斜するように設置されているので、該混合管７内では浚渫土による大きな乱流状態が発生する。
【００１０】
さらに、混合管７内軸心部の供給軸８の噴出口１０からは固化材としてセメントスラリーが高圧噴射され、該管７内の上記乱流と供給軸８に斜めに取り付けられた複数枚の上記翼９の撹拌作用の相乗効果により、浚渫土はセメントスラリーと効率よく均質に撹拌混合されながら混合管７内を流下して行く。
【００１１】
そして、傾斜混合管７内で上記の如く固化材と効果的に均質混合された浚渫土は、下部に接続された該混合管７より細径の圧送管４ｂに向って排出され、再びプラグ流となって埋立地６まで圧送される。
【００１２】
【発明の効果】
本発明は上述のようにしてなり、浚渫土等の軟泥土を圧送する空気圧送管の途中に該管よりも太径の両端が閉塞された混合管を傾斜させて接続し、かつ上記圧送管はそれぞれ該混合管の上下両側面で連結するようにしてあり、これにより該混合管内の軸心部には固化材噴出口が複数開孔されると共に外周に所定の間隔を置いて複数の翼が斜めに取り付けられてなる管状の固化材供給軸が挿入可能となって固化材を均質に混入することができ、しかも該混合管内にプラグ流として圧送されて来る浚渫土は混合管の傾斜と管径の拡大効果により生じる乱流の発生と固化材供給軸の翼の撹拌作用による相乗効果で固化材と効率よく均質に撹拌混合することができ、従来のように機械的な混練ミキサーを使用しなくとも、プラグ流の利用によって経済的で均質な混合が可能となるのである。
【００１３】
また、本発明によれば、上記混合管は市販の機材で製作でき、ユニット化も可能であるので、前記圧送管と連結することにより、浚渫土等の軟泥土の大規模処理に対応できるのである。
【００１４】
以上のように、本発明によれば、浚渫土等の固化処理設備が従来より簡略化できて大幅なコストダウンを図ることができ、また処分に困っていた浚渫土等を有効利用でき、これを埋立地の地盤材料として使用すれば、埋立後の地盤改良が不要もしくは大幅に削減できるので、用地の早期利用も可能となる等の利点を有する。
【図面の簡単な説明】
【図１】本発明方法を使用して浚渫船が浚渫した軟泥土を陸上の埋立地に送るまでの概略を示す説明図である。
【図２】本発明に係る軟泥土の管中混合固化処理装置の一部断面側面図である。
【図３】本発明に係る軟泥土の管中混合固化処理装置の説明的な縦断面図である。
【図４】固化材供給軸の要部を示す斜視図である。
【符号の説明】
１−浚渫船
２−土運搬船
３−空気圧送船
４−圧送管
５−固化材供給設備
６−埋立地
７−混合管
８−固化材供給軸
９−翼
１０−固化材噴出口
Ａ−本発明の管状混合装置
【図１】
0004110497.tif 000002
【図２】
0004110497.tif 000003
【図３】
0004110497.tif 000004
【図４】
0004110497.tif 000005